【手続補正書】
【提出日】令和3年4月26日(2021.4.26)
【手続補正１】
【補正対象書類名】明細書
【補正対象項目名】発明の名称
【補正方法】変更
【補正の内容】
【発明の名称】造形物及び造形物の製造方法
【手続補正２】
【補正対象書類名】明細書
【補正対象項目名】０００１
【補正方法】変更
【補正の内容】
【０００１】
本発明は、造形物及び造形物の製造方法に関する。
【手続補正３】
【補正対象書類名】明細書
【補正対象項目名】０００６
【補正方法】変更
【補正の内容】
【０００６】
本発明は、上記実情に鑑みてなされたものであり、熱変換層の色味による影響を低減することが可能な造形物及び造形物の製造方法を提供することを目的とする。
【手続補正４】
【補正対象書類名】明細書
【補正対象項目名】０００７
【補正方法】変更
【補正の内容】
【０００７】
本発明の第１の観点に係る造形物は、
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記熱膨張性シートは、
前記熱膨張層上と前記基材の他方の面上との少なくともいずれか一方に設けられ、カラー調整剤を含むカラー調整層を更に備え、
前記カラー調整剤は、染料系又は顔料系の着色剤であり、当該着色剤自体が色味を呈し、
前記カラー調整層は、前記熱変換層が当該カラー調整層上に設けられた第１の領域と前記熱変換層が当該カラー調整層上に設けられていない第２の領域との間におけるＬ*ａ*ｂ*表色系を用いて算出される色差ΔＥが６．５以下になるように前記カラー調整剤を含み、
前記熱膨張層の少なくとも一部が隆起することにより、前記熱膨張層の表面に形成された凸若しくは凹凸の高さ及び位置により表現されている、ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の第２の観点に係る造形物の製造方法は、
熱膨張性シートの熱膨張層の少なくとも一部を、電磁波を熱に変換する熱変換材料を含む熱変換層を用いて膨張させることによる造形物の製造方法であって、
前記熱膨張層上に、カラー調整剤を含む第１のインク受容層を形成する第１のインク受容層形成工程を備え、
前記カラー調整剤は、染料系又は顔料系の着色剤であり、当該着色剤自体に色味を呈し、
前記第１のインク受容層は、前記熱変換層が当該第１のインク受容層上に設けられた第１の領域と前記熱変換層が当該第１のインク受容層上に設けられていない第２の領域との間におけるＬ*ａ*ｂ*表色系を用いて算出される色差ΔＥが６．５以下になるように、前記カラー調整剤を含む、
ことを特徴とする。
【手続補正７】
【補正対象書類名】明細書
【補正対象項目名】００１０
【補正方法】変更
【補正の内容】
【００１０】
本発明によれば、熱変換層の色味による影響を低減することが可能な造形物及び造形物の製造方法を提供することができる。
【手続補正８】
【補正対象書類名】特許請求の範囲
【補正対象項目名】全文
【補正方法】変更
【補正の内容】
【特許請求の範囲】
【請求項１】
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記熱膨張性シートは、
前記熱膨張層上と前記基材の他方の面上との少なくともいずれか一方に設けられ、カラー調整剤を含むカラー調整層を更に備え、
前記カラー調整剤は、染料系又は顔料系の着色剤であり、当該着色剤自体が色味を呈し、
前記カラー調整層は、前記熱変換層が当該カラー調整層上に設けられた第１の領域と前記熱変換層が当該カラー調整層上に設けられていない第２の領域との間におけるＬ*ａ*ｂ*表色系を用いて算出される色差ΔＥが６．５以下になるように前記カラー調整剤を含み、
前記熱膨張層の少なくとも一部が隆起することにより、前記熱膨張層の表面に形成された凸若しくは凹凸の高さ及び位置により表現されている、
ことを特徴とする造形物。
【請求項２】
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記熱膨張性シートは、
前記熱膨張層上に設けられ、カラー調整剤を含む第１のインク受容層を更に備え、
前記カラー調整剤は、染料系又は顔料系の着色剤であり、当該着色剤自体が色味を呈し、
前記第１のインク受容層は、前記熱変換層が当該第１のインク受容層上に設けられた第１の領域と当該第１のインク受容層上に前記熱変換層が設けられていない第２の領域との間におけるＬ*ａ*ｂ*表色系を用いて算出される色差ΔＥが６．５以下になるように前記カラー調整剤を含み、
前記熱膨張層の少なくとも一部が隆起することにより、前記熱膨張層の表面に形成された凸若しくは凹凸の高さ及び位置により表現されている、
ことを特徴とする造形物。
【請求項３】
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記熱膨張層は、更にカラー調整剤を含み、
前記カラー調整剤は、染料系又は顔料系の着色剤であり、当該着色剤自体が色味を呈し、
前記熱膨張層は、前記熱変換層が当該熱膨張層上に設けられた第１の領域と前記熱変換層が当該熱膨張層上に設けられていない第２の領域との間におけるＬ*ａ*ｂ*表色系を用いて算出される色差ΔＥが６．５以下になるように前記カラー調整剤を含み、
前記熱膨張層の少なくとも一部が隆起することにより、前記熱膨張層の表面に形成された凸若しくは凹凸の高さ及び位置により表現されている、
ことを特徴とする造形物。
【請求項４】
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記基材は、カラー調整剤を更に含み、
前記カラー調整剤は、蛍光増白剤であり、
前記基材は、前記熱変換層が前記基材の他方の面上に設けられた第１の領域と前記熱変換層が前記基材の他方の面上に設けられていない第２の領域との間におけるＬ*ａ*ｂ*表色系を用いて算出される色差ΔＥが６．５以下になるように前記カラー調整剤を含み、
前記熱膨張層の少なくとも一部が隆起することにより、前記熱膨張層の表面に形成された凸若しくは凹凸の高さ及び位置により表現されている、
ことを特徴とする造形物。
【請求項５】
電磁波を熱に変換する熱変換材料を含む熱変換層から生じた熱を吸収した量に応じて膨張する熱膨張性材料を含み、基材の一方の面に設けられた熱膨張層を備える熱膨張性シート上に形成された造形物であって、
前記熱膨張性シートは、
前記基材の他方の面に設けられ、カラー調整剤を含む第２のインク受容層を更に備え、
前記カラー調整剤は、染料系又は顔料系の着色剤であり、当該着色剤自体が色味を呈し、
前記第２のインク受容層は、前記熱変換層が当該第２のインク受容層上に設けられた第１の領域と前記熱変換層が当該第２のインク受容層上に設けられていない第２の領域との間におけるＬ*ａ*ｂ*表色系を用いて算出される色差ΔＥが６．５以下になるように、前記カラー調整剤を含み、
前記熱膨張層の少なくとも一部が隆起することにより、前記熱膨張層の表面に形成された凸若しくは凹凸の高さ及び位置により表現されている、
ことを特徴とする造形物。
【請求項６】
熱膨張性シートの熱膨張層の少なくとも一部を、電磁波を熱に変換する熱変換材料を含む熱変換層を用いて膨張させることによる造形物の製造方法であって、
前記熱膨張層上に、カラー調整剤を含む第１のインク受容層を形成する第１のインク受容層形成工程を備え、
前記カラー調整剤は、染料系又は顔料系の着色剤であり、当該着色剤自体に色味を呈し、
前記第１のインク受容層は、前記熱変換層が当該第１のインク受容層上に設けられた第１の領域と前記熱変換層が当該第１のインク受容層上に設けられていない第２の領域との間におけるＬ*ａ*ｂ*表色系を用いて算出される色差ΔＥが６．５以下になるように、前記カラー調整剤を含む、
ことを特徴とする造形物の製造方法。
【請求項７】
熱膨張性シートの熱膨張層の少なくとも一部を、電磁波を熱に変換する熱変換材料を含む熱変換層を用いて膨張させることによる造形物の製造方法であって、
前記熱膨張層は、更にカラー調整剤を含み、
前記カラー調整剤は、染料系又は顔料系の着色剤であり、当該着色剤自体に色味を呈し、
前記熱膨張層は、前記熱変換層が当該熱膨張層上に設けられた第１の領域と前記熱変換層が当該熱膨張層上に設けられていない第２の領域との間におけるＬ*ａ*ｂ*表色系を用いて算出される色差ΔＥが６．５以下になるように、前記カラー調整剤を含む、
ことを特徴とする造形物の製造方法。
【請求項８】
基材と前記基材の一方の面に設けられた熱膨張層とを備える熱膨張性シートの前記熱膨張層の少なくとも一部を、電磁波を熱に変換する熱変換材料を含む熱変換層を用いて膨張させることによる造形物の製造方法であって、
前記基材は、カラー調整剤を更に含み、
前記カラー調整剤は、蛍光増白剤であり、
前記基材は、前記熱変換層が当該基材の他方の面上に設けられた第１の領域と前記熱変換層が当該基材の他方の面上に設けられていない第２の領域との間におけるＬ*ａ*ｂ*表色系を用いて算出される色差ΔＥが６．５以下になるように、前記カラー調整剤を含む、
ことを特徴とする造形物の製造方法。
【請求項９】
基材と前記基材の一方の面に設けられた熱膨張層とを備える熱膨張性シートの前記熱膨張層の少なくとも一部を、電磁波を熱に変換する熱変換材料を含む熱変換層を用いて膨張させることによる造形物の製造方法であって、
前記基材の他方の面に、カラー調整剤を含む第２のインク受容層を形成する第２のインク受容層形成工程を備え、
前記カラー調整剤は、染料系又は顔料系の着色剤であり、当該着色剤自体に色味を呈し、
前記第２のインク受容層は、前記熱変換層が当該第２のインク受容層上に設けられた第１の領域と前記熱変換層が当該第２のインク受容層上に設けられていない第２の領域との間におけるＬ*ａ*ｂ*表色系を用いて算出される色差ΔＥが６．５以下になるように、前記カラー調整剤を含む、
ことを特徴とする造形物の製造方法。